(57)【要約】【課題】部品点数を抑えつつ、簡易な構成で芳香効果または消臭効果がある芳香消臭部材及び便器装置を提供する。【解決手段】芳香消臭部材５０は、便座２における便座２が閉じた状態で便器と対向する第一対向面及び便蓋３における便蓋３が閉じた状態で便座２と対向する第二対向面４２ｂの少なくとも一方に設けられる芳香消臭部材であって、芳香を放出するとともにゲル状に形成された芳香消臭部５１を有し、芳香消臭部５１は、対向する便器及び便座２の少なくとも一方と当接可能であることを特徴とする。【選択図】図５
2019173430.tif 000002
【特許請求の範囲】
【請求項１】
便座における該便座が閉じた状態で便器と対向する第一対向面、便蓋における該便蓋が閉じた状態で前記便座と対向する第二対向面及び前記便蓋の後方に配置された部材における前記便蓋が開いた状態で該便蓋と対向する面の少なくともいずれかに設けられる芳香消臭部材であって、
芳香剤または消臭剤が含有されるとともにゲル状に形成された芳香消臭部を有し、
該芳香消臭部は、対向する前記便器及び前記便座の少なくとも一方と当接可能であることを特徴とする芳香消臭部材。
【請求項２】
板状に形成され、一方の面に前記芳香消臭部が設けられた支持板部と、
該支持板部の他方の面に設けられた第一面ファスナーと、を備え、
前記第一面ファスナーは、前記第一対向面及び前記第二対向面の少なくとも一方に設けられた第二面ファスナーと着脱可能である請求項１に記載の芳香消臭部材。
【請求項３】
便座における該便座が閉じた状態で便器と対向する第一対向面、便蓋における該便蓋が閉じた状態で前記便座と対向する第二対向面及び前記便蓋の後方に配置された部材における前記便蓋が開いた状態で該便蓋と対向する面の少なくともいずれかに設けられる芳香消臭部材であって、
芳香剤または消臭剤が含有されるとともにシート状に形成された芳香消臭部を有し、
該芳香消臭部は、対向する前記便器及び前記便座の少なくとも一方と当接可能であることを特徴とする芳香消臭部材。
【請求項４】
前記芳香消臭部は、前記第一対向面及び前記第二対向面の少なくとも一方を覆うように設けられている請求項３に記載の芳香消臭部材。
【請求項５】
前記便蓋は、
前記便座を覆うように形成された便蓋本体と、
前記便蓋本体における該便蓋が閉じた状態で前記便座側を向く面に設けられ断熱性を有する断熱部と、を有し、
前記第二対向面は、前記断熱部における前記便蓋が閉じた状態で前記便座と対向する面であり、
前記芳香消臭部材は、前記第二対向面に設けられている請求項１から４のいずれか一項に記載の芳香消臭部材。
【請求項６】
下方に凹む開口部が形成された便器と、
該便器の上部に設置された便座と、
前記開口部を覆うように設けられた便蓋と、
前記便座における該便座が閉じた状態で前記便器と対向する第一対向面及び前記便蓋における該便蓋が閉じた状態で前記便座と対向する第二対向面の少なくとも一方に設けられた請求項１から５のいずれか一項に記載の芳香消臭部材と、を備えることを特徴とする便器装置。
【請求項７】
前記便蓋が閉じられたことを検出する便蓋検出部と、
前記便蓋が閉じられたことを前記便蓋検出部により検出した場合に、所定時間経過後に前記便蓋を開けて、その後に前記便蓋を閉じる開閉部と、を備える請求項６に記載の便器装置。
【請求項８】
前記便器装置が設置される室内に人が入ってきたことを検出する人感センサと、
前記室内に前記人が入ってきたことを前記人感センサにより検出した場合に、前記芳香消臭部材が設けられた前記便座及び前記便蓋の少なくとも一方を前記便器側に押圧する押圧部と、を備える請求項６または７に記載の便器装置。
【発明の詳細な説明】
【技術分野】
【０００１】
本発明は、芳香消臭部材及び便器装置に関するものである。
【背景技術】
【０００２】
従来から、便蓋を閉塞する際に、エアシリンダ内に設けられたコイルばねが圧縮され、その弾性力で便蓋が徐々に閉塞される便器装置が提案されている（下記の特許文献１参照）。この便器装置では、便蓋の閉塞時に、コイルばねの圧縮動作に伴ってエアシリンダ内に供給されているエアが、ノズルから排出される。この排出された空気圧により、ノズルに接続されたタンク内に貯留された芳香液等の液体が、霧化状態で噴射され、香が漂うようになっている。
【先行技術文献】
【特許文献】
【０００３】
【特許文献１】特開平６−１１３９８１号公報
【発明の概要】
【発明が解決しようとする課題】
【０００４】
しかしながら、上記の特許文献１に記載された便器装置では、芳香液が噴射されるのは便蓋の閉塞動作に伴うように構成されているため、エアシリンダ、コイルばね、ノズル等の複数の部材を備える必要があるとともに、構成が複雑であるという問題点がある。
【０００５】
そこで、本発明は、上記事情に鑑みてなされたものであり、部品点数を抑えつつ、簡易な構成で芳香効果または消臭効果がある芳香消臭部材及び便器装置を提供する。
【課題を解決するための手段】
【０００６】
上記目的を達成するために、本発明は以下の手段を採用している。
すなわち、本発明に係る芳香消臭部材は、便座における該便座が閉じた状態で便器と対向する第一対向面、便蓋における該便蓋が閉じた状態で前記便座と対向する第二対向面及び前記便蓋の後方に配置された部材における前記便蓋が開いた状態で該便蓋と対向する面の少なくともいずれかに設けられる芳香消臭部材であって、芳香剤または消臭剤が含有されるとともにゲル状に形成された芳香消臭部を有し、該芳香消臭部は、対向する前記便器及び前記便座の少なくとも一方と当接可能であることを特徴とする。
【０００７】
このように構成された芳香消臭部材では、便座の第一対向面、便蓋の第二対向面及び便蓋の後方に配置された部材における便蓋が開いた状態で便蓋と対向する面の少なくともいずれかに、芳香消臭部材が設けられている。芳香材料の芳香消臭部はゲル状に形成されたものであるため、簡易な構成で芳香効果または消臭効果がある。
また、芳香消臭部は、対向する便器及び便座の少なくとも一方と当接可能であるため、便座と便器との干渉、便蓋と便座との干渉及び便蓋の後方に配置された部材と便蓋との干渉の少なくともいずれかを抑制する機能も兼ねている。よって、これらの干渉を抑制する緩衝材等を別途設ける必要がなく、部品点数を削減することができる。
【０００８】
また、本発明に係る芳香消臭部材は、板状に形成され、一方の面に前記芳香消臭部が設けられた支持板部と、該支持板部の他方の面に設けられた第一面ファスナーと、を備え、前記第一面ファスナーは、前記第一対向面及び前記第二対向面の少なくとも一方に設けられた第二面ファスナーと着脱可能であることが好ましい。
【０００９】
このように構成された芳香消臭部材では、芳香消臭部は、板状に形成された支持板部に支持されている。支持板部に設けられた第一面ファスナーを便座の第一対向面及び便蓋の第二対向面の少なくとも一方に設けられた第二面ファスナーに付着させれば、芳香消臭部材は便座の第一対向面及び便蓋の第二対向面の少なくとも一方に設けられる。よって、芳香消臭部材を、便座の第一対向面及び便蓋の第二対向面の少なくとも一方に容易に設けることができるとともに、芳香消臭部材を容易に交換することができる。
【００１０】
また、本発明に係る芳香消臭部材は、便座における該便座が閉じた状態で便器と対向する第一対向面、便蓋における該便蓋が閉じた状態で前記便座と対向する第二対向面及び前記便蓋の後方に配置された部材における前記便蓋が開いた状態で該便蓋と対向する面の少なくともいずれかに設けられる芳香消臭部材であって、芳香剤または消臭剤が含有されるとともにシート状に形成された芳香消臭部を有し、該芳香消臭部は、対向する前記便器及び前記便座の少なくとも一方と当接可能であってもよい。
【００１１】
このように構成された芳香消臭部材では、便座の第一対向面、便蓋の第二対向面及び便蓋の後方に配置された部材における便蓋が開いた状態で便蓋と対向する面の少なくともいずれかに、芳香消臭部材が設けられている。芳香材料の芳香消臭部はシート状に形成されたものであるため、簡易な構成で芳香効果または消臭効果がある。
また、芳香消臭部は、対向する便器及び便座の少なくとも一方と当接可能であるため、便座と便器との干渉、便蓋と便座との干渉及び便蓋の後方に配置された部材と便蓋との干渉の少なくともいずれかを抑制する機能も兼ねている。よって、これらの干渉を抑制する緩衝材等を別途設ける必要がなく、部品点数を削減することができる。
【００１２】
また、本発明に係る芳香消臭部材では、前記芳香消臭部は、前記第一対向面及び前記第二対向面の少なくとも一方を覆うように設けられていてもよい。
【００１３】
このように構成された芳香消臭部材では、芳香消臭部は、第一対向面及び第二対向面の少なくとも一方を覆うように設けられている。よって、芳香消臭部の設置面積を広く確保することができるため、芳香効果または消臭効果を高めることができる。
【００１４】
また、本発明に係る芳香消臭部材では、前記便蓋は、前記便座を覆うように形成された便蓋本体と、前記便蓋本体における前記便蓋が閉じた状態で前記便座側を向く面に設けられ断熱性を有する断熱部と、を有し、前記第二対向面は、前記断熱部における前記便蓋が閉じた状態で前記便座と対向する面であり、前記芳香消臭部材は、前記第二対向面に設けられていてもよい。
【００１５】
このように構成された芳香消臭部材では、便蓋本体における便座側を向く面には、断熱性を有する断熱部が設けられている。芳香消臭部材は、断熱部における便座と対向する第二対向面に設けられていている。よって、芳香消臭部は断熱材で保温され芳香成分または消臭成分が多く放出するため、芳香効果または消臭効果を高めることができる。
【００１６】
また、本発明に係る便器装置は、下方に凹む開口部が形成された便器と、該便器の上部に設置された便座と、前記開口部を覆うように設けられた便蓋と、前記便座における該便座が閉じた状態で前記便器と対向する第一対向面及び前記便蓋における該便蓋が閉じた状態で前記便座と対向する第二対向面の少なくとも一方に設けられた上記のいずれか一に記載の芳香消臭部材と、を備えることを特徴とする。
【００１７】
このように構成された便器装置では、便座の第一対向面及び便蓋の第二対向面の少なくとも一方に、芳香消臭部材が設けられている。芳香材料の芳香消臭部はゲル状またはシート状に形成されたものであるため、簡易な構成で芳香効果または消臭効果がある。
また、便蓋が便器の開口部を覆うように設けられているため、芳香消臭部から放出された芳香成分または消臭成分が便器と便蓋との間で充満する。よって、便器装置の便蓋を開けて使用する際に、芳香効果または消臭効果があるため、快適性を高めることができる。
【００１８】
また、本発明に係る便器装置は、前記便蓋が閉じられたことを検出する便蓋検出部と、前記便蓋が閉じられたことを前記便蓋検出部により検出した場合に、所定時間経過後に前記便蓋を開けて、その後に前記便蓋を閉じる開閉部と、を備えることが好ましい。
【００１９】
このように構成された便器装置では、便蓋検出部が、便蓋が閉じられたことを検出する。便蓋が閉じられたことを便蓋検出部が検出した場合に、開閉部が所定時間経過後に便蓋を開けてその後に便蓋を閉じる。よって、便器装置を使用していない場合でも、定期的に芳香成分または消臭成分を放出させることができる。
【００２０】
また、本発明に係る便器装置は、前記便器装置が設置される室内に人が入ってきたことを検出する人感センサと、前記室内に前記人が入ってきたことを前記人感センサにより検出した場合に、前記芳香消臭部材が設けられた前記便座及び前記便蓋の少なくとも一方を前記便器側に押圧する押圧部と、を備えていてもよい。
【００２１】
このように構成された便器装置では、人感センサは、便器装置が設置される室内に人が入ってきたことを検出する。室内に人が入ってきたことを人感センサが検出した場合に、押圧部が、芳香消臭部材が設けられた便座及び便蓋の少なくとも一方を便器側に押圧して、芳香消臭部が芳香成分または消臭成分を放出する。よって、室内に人が入ってきた際、つまり便器装置を使用する直前に、芳香成分または消臭成分が放出されるため、快適性を高めることができる。
【発明の効果】
【００２２】
本発明に係る芳香消臭部材及び便器装置によれば、部品点数を抑えつつ、簡易な構成で芳香効果または消臭効果がある。
【図面の簡単な説明】
【００２３】
【図１】本発明の第一実施形態に係る便器装置の斜視図である。
【図２】本発明の第一実施形態に係る便器装置の便座及び便蓋が開いた状態を便座側から見た図である。
【図３】本発明の第一実施形態に係る便器装置の便座及び便蓋が閉じた状態を着座する利用者側と反対側から見た図である。
【図４】図２のＡ−Ａ線断面図である。
【図５】図３のＢ−Ｂ線断面図である。
【図６】本発明の変形例１に係る便器装置の芳香消臭部材の構成を示す断面図である。
【図７】本発明の第二実施形態に係る便器装置の芳香消臭部材の構成を示す図であり、図５に相当する図である。
【図８】本発明の変形例２に係る便器装置の芳香消臭部材の構成を示す図であり、図５に相当する図である。
【発明を実施するための形態】
【００２４】
（第一実施形態）
本発明の第一実施形態に係る芳香消臭部材を備えた便器装置について、図面を用いて説明する。
図１は、本発明の第一実施形態に係る便器装置の斜視図である。図２は、本発明の第一実施形態に係る便器装置の便座及び便蓋が開いた状態を便座側から見た図である。図３は、本発明の第一実施形態に係る便器装置の便座及び便蓋が閉じた状態を着座する利用者側と反対側から見た図である。なお、図２及び図３において便器の図示を省略している。
図１から図３に示すように、便器装置１００は、下方に凹む開口部１１ａが設けられた便器１１と、便器１１の上部に設けられた機能部１２（図４参照。以下同じ。）と、機能部１２を収容するトップカバー１３及び本体カバー１４と、機能部１２に回動可能に支持された便座２及び便蓋３と、を備えている。機能部１２は、局部洗浄装置（不図示。以下同じ。）、便座２及び便蓋３を開閉する開閉装置（不図示。以下同じ。）などの各種機能装置や機能部品などを有している。
なお、下記の説明において、利用者が便座２に着座した状態で前方を向く方向を「前方」とし、反対側を「後方」とし、これらを結ぶ方向を前後方向とする。また、便座２に着座した利用者から見て左側を「左側」とし、右側を「右側」とし、これらを結ぶ方向を左右方向とする。
また、開閉装置により便座２、便蓋３が開いた状態を開放状態と称し、便座２、便蓋３が閉じた状態を閉塞状態と称する。
【００２５】
図１に示すように、便座２は、便器１１の上部に設置されている。便座２は、環状部２１と、支持腕部２２と、を有している。環状部２１は、閉塞状態で平面視環状に形成されている。支持腕部２２は、環状部２１の閉塞状態での後端部の左右方向の両端部から後方に延出している。支持腕部２２は、機能部１２の開閉装置に開閉可能に支持されている。
【００２６】
図２に示すように、環状部２１には、閉塞状態で便器１１と対向する面２１ｂ（下面）に、緩衝部２１ａが設けられている。緩衝部２１ａは、閉塞状態での前後方向に離間して２箇所、左右方向に離間して２箇所の合計４箇所に設けられている。各緩衝部２１ａは、閉塞状態で、便器１１（図１参照。以下同じ。）の上面と当接可能とされている。
【００２７】
図４は、図２のＡ−Ａ線断面図である。図５は、図３のＢ−Ｂ線断面図である。
図５に示すように、便蓋３は、閉塞状態で、便器１１の開口部１１ａの上部及び便座２を覆うように設置されている。便蓋３は、便蓋本体３０と、断熱部４０と、を有している。
【００２８】
便蓋本体３０は、平板部３１と、側板部３２と、を有している。平板部３１は、板状に形成されている。平板部３１は、板厚方向を閉塞状態で上下方向に向けて配置されている。平板部３１は、閉塞状態で便座２の上方に配置されている。平板部３１は、閉塞状態で前方に向かうにしたがって次第に下方に傾斜するように配置されている。
【００２９】
図１に示すように、側板部３２は、平板部３１の周縁に設けられ、平板部３１と交差する方向に延びている。側板部３２は、板状に形成されている。図５に示すように、平板部３１は、閉塞状態で便座２の側方に配置されている。閉塞状態で、便座２の上方は平板部３１で覆われ、便座２の前部及び左右方向の両端部は側板部３２で覆われている。
【００３０】
断熱部４０は、断熱材４１と、断熱材カバー４２と、を有している。断熱材４１は、便蓋本体３０における閉塞状態で便座２側を向く面３０ｂ（下面）に設けられている。断熱材４１は、（便蓋本体３０よりも高い）断熱性を有し、例えば発泡ウレタン等で形成されている。
【００３１】
断熱材カバー４２は、断熱材４１における便蓋３の閉塞状態で便座２側を向く面４１ｂ（下面）に設けられている。断熱材カバー４２は、断熱材４１を覆うように設けられている。
【００３２】
便蓋３の断熱材カバー４２における閉塞状態で便座２と対向する面（第二対向面、下面）４２ｂには、芳香部材（芳香消臭部材）５０が設けられている。芳香部材５０は、便蓋３の閉塞状態で前側（開放状態で上側）に１箇所設けられている。なお、芳香部材５０の設置位置は適宜設定可能であり、便座２と当接可能な位置に複数箇所に設けられていてもよい。
【００３３】
芳香部材５０は、芳香を放出する芳香剤を含有するとともにゲル状に形成された芳香部（芳香消臭部）５１を有している。例えば、芳香部５１は、所望の香料を含有した合成樹脂で形成されている。
【００３４】
断熱部４０の面４２ｂには、便蓋本体３０の平板部３１側（便座２及び便蓋３の閉塞状態の上方）に凹む凹部４１ａが形成されている。芳香部５１は、一部が凹部４１ａに嵌め込まれているとともに、残りの部分が断熱部４０の面４２ｂから突出している。芳香部５１の突出した部分が、図４に示す便座２及び便蓋３の開放状態及び図５に示す便座２及び便蓋３の閉塞状態のいずれの場合でも、便座２における閉塞状態で便蓋３に対向する面２ｕ（上面）に当接している。芳香部５１は、凹部４１ａに接着剤や両面テープ等の固定手段（不図示）により固定されている。
【００３５】
このように構成された便器装置１００では、便蓋３の面４２ｂに、芳香部材５０が設けられている。芳香部材５０の芳香部５１はゲル状に形成されたものであるため、簡易な構成で芳香成分を放出することができる。
【００３６】
また、芳香部５１は便座２と当接可能であるため、便座２及び便蓋３の閉塞状態及び便座２及び便蓋３の開放状態で、便蓋３と便座２との干渉を抑制する機能も兼ねている。よって、これらの干渉を抑制する緩衝材等を別途設ける必要がなく、部品点数を削減することができる。
【００３７】
また、芳香部５１は衝撃が与えられると多くの芳香を放出するため、芳香部５１が便座２の面２ｕに当接して、より多くの芳香成分を放出することができる。
【００３８】
また、便蓋３が便器１１の開口部１１ａを覆うように設けられているため、芳香部５１から放出された芳香が便器１１と便蓋３との間で充満する。よって、便器装置１００の便蓋３を開けて使用する際に、芳香成分が放出されるため、快適性を高めることができる。
【００３９】
また、便蓋本体３０の面３０ｂには、断熱性を有する断熱部４０が設けられている。芳香部材５０は、断熱部４０の面４２ｂに設けられていている。よって、芳香部５１は断熱材４１で保温され芳香成分を多く放出するため、芳香効果を高めることができる。
【００４０】
（変形例１）
次に、本発明の変形例１に係る芳香部材を備えた便器装置について、主に図６を用いて説明する。
下記に示す変形例及び実施形態の説明において、前述した部材と同一の部材には同一の符号を付して、その説明を省略する。
【００４１】
図６は、本発明の変形例１に係る便器装置の芳香部材の構成を示す断面図である。
図６に示すように、本変形例に係る便器装置では、芳香部材５０Ａは、支持板部６１と、芳香部５１と、第一面ファスナー６２と、を有している。
【００４２】
支持板部６１は、板状に形成されている。支持板部６１の一方の面（便座２及び便蓋３の閉塞状態で便座２と対向する面、下面）には、芳香部５１が設けられている。支持板部６１の他方の面には、第一面ファスナー６２が設けられている。
【００４３】
便蓋３の面４２ｂには、第一面ファスナー６２と着脱可能な第二面ファスナー６３が設けられている。
【００４４】
このように構成された便器装置では、芳香部５１は、板状に形成された支持板部６１に支持されている。支持板部６１に設けられた第一面ファスナー６２を便蓋３の面４２ｂに設けられた第二面ファスナー６３に付着させれば、芳香部材５０Ａは便蓋３の面４２ｂに設けられる。よって、芳香部材５０Ａを、便蓋３の面４２ｂに容易に設けることができる。また、芳香部材５０Ａの交換の際には、芳香部材５０Ａの第一面ファスナー６２を便蓋３の第二面ファスナー６３から取り外して、新たな芳香部材５０Ａの第一面ファスナー６２を便蓋３の第二面ファスナー６３に付着させればよいため、芳香部材５０Ａを容易に交換することができる。
【００４５】
（第二実施形態）
次に、本発明の第二実施形態に係る芳香部材を備えた便器装置について、主に図７を用いて説明する。
【００４６】
図７は、本発明の第二実施形態に係る便器装置の芳香部材の構成を示す図であり、図５に相当する図である。
図７に示すように、便蓋３の断熱部４０の断熱材４１の面４１ｂには、芳香を放出しシート状に形成された芳香部５２を有する芳香部材５０Ｂが設けられている。芳香部材５０Ｂは、便蓋３の断熱材４１の面４１ｂを覆うように、面４１ｂの略全面にわたって設けられている。
【００４７】
芳香部５２は、例えば、所望の香料を含有した合成樹脂で形成されている。芳香部５２の少なくとも一部は、便座２の面２ｕに当接可能である。なお、断熱材４１に断熱材カバー４２（図５参照。以下同じ。）を設けて、断熱材カバー４２の面４２ｂ（図５参照。以下同じ。）に芳香部材５０Ｂが設けられる構成であってもよい。
【００４８】
このように構成された便器装置は、便蓋３の面４１ｂに、芳香部材５０Ｂが設けられている。芳香部材５０Ｂの芳香部５２はシート状に形成されたものであるため、簡易な構成で芳香成分を放出することができる。
【００４９】
また、芳香部５２は便座２と当接可能であるため、便座２及び便蓋３の閉塞状態及び便座２及び便蓋３の開放状態で、便蓋３と便座２との干渉を抑制する機能も兼ねている。よって、これらの干渉を抑制する緩衝材等を別途設ける必要がなく、部品点数を削減することができる。
【００５０】
また、芳香部５２は、便蓋３の面４１ｂの覆うように設けられている。よって、芳香部５２の設置面積を広く確保することができるため、芳香効果を高めることができる。
【００５１】
また、便蓋３が便器１１の開口部１１ａを覆うように設けられているため、芳香部５２から放出された芳香が便器１１と便蓋３との間で充満する。よって、便器装置の便蓋３を開けて使用する際に、芳香成分が放出されるため、快適性を高めることができる。
【００５２】
また、便蓋本体３０の面３０ｂには、断熱性を有する断熱材４１が設けられている。芳香部材５０Ｂは、断熱材４１の面４１ｂに設けられていている。よって、芳香部５２は断熱材４１で保温されるため、芳香部５２は効率的に芳香することができる。
【００５３】
（変形例２）
次に、本発明の変形例２に係る芳香部材を備えた便器装置について、主に図８を用いて説明する。
【００５４】
図８は、本発明の変形例２に係る便器装置の芳香部材の構成を示す図であり、図５に相当する図である。
図８に示すように、便蓋３には、断熱部が設けられていない。便蓋本体３０が、閉塞状態で便座２を覆っている。便蓋本体３０の平板部３１の面３０ｂには、シート状に形成された芳香部５２を有する芳香部材５０Ｃが設けられている。芳香部５２は、便蓋本体３０の面３０ｂを覆うように、面３０ｂの略全面にわたって設けられている。芳香部５２の少なくとも一部は、便座２の面２ｕに当接可能である。
【００５５】
このように構成された芳香部材５０Ｃでは、便蓋３の面３０ｂに、芳香部材５０Ｃが設けられている。芳香部材５０Ｃの芳香部５２はシート状に形成されたものであるため、簡易な構成で芳香成分を放出することができる。
【００５６】
また、芳香部５２は便座２と当接可能であるため、便座２及び便蓋３の閉塞状態及び便座２及び便蓋３の開放状態で、便蓋３と便座２との干渉を抑制する機能も兼ねている。よって、これらの干渉を抑制する緩衝材等を別途設ける必要がなく、部品点数を削減することができる。
【００５７】
（変形例３）
また、機能部１２は、便蓋３が閉じられたことを検出する便蓋検出部（不図示。以下同じ。）と、便蓋３が閉じられたことを便蓋検出部により検出した場合に、所定時間経過後に便蓋３を開けて、その後に便蓋３を閉じる開閉部（不図示。以下同じ。）と、を備えていてもよい。
【００５８】
このように構成された便器装置では、便蓋検出部が、便蓋３が閉じられたことを検出する。便蓋３が閉じられたことを便蓋検出部が検出した場合に、開閉部が所定時間経過後に便蓋３を開けてその後に便蓋３を閉じる。よって、便器装置を使用していない場合でも、定期的に芳香成分を放出させることができる。
【００５９】
（変形例４）
また、便器装置が設置される室内（以下、トイレ空間と称する。）に人が入ってきたことを検出する人感センサ（不図示。以下同じ。）と、トイレ空間に人が入ってきたことを人感センサにより検出した場合に、芳香部材５０が設けられた便座２及び便蓋３の少なくとも一方を便器１１側に押圧する押圧部（不図示。以下同じ。）と、を備えていてもよい。
【００６０】
このように構成された便器装置では、人感センサは、トイレ空間に人が入ってきたことを検出する。トイレ空間に人が入ってきたことを人感センサが検出した場合に、押圧部が、芳香部材５０が設けられた便座２及び便蓋３の少なくとも一方を便器１１側に押圧して、芳香部５１に衝撃を与えて芳香成分を放出させる。よって、トイレ空間に人が入ってきた際、つまり便器装置を使用する直前に、芳香成分が放出されるため、快適性を高めることができる。
【００６１】
（変形例５）
また、トイレ空間に人が入ってきたことを検出する人感センサ（不図示。以下同じ。）と、トイレ空間に人が入ってきたことを人感センサにより検出した場合に、便蓋３を開ける開閉部（不図示。以下同じ。）と、を備え、便器装置１００の後方に水洗タンク（不図示。以下同じ。）等の部材が設けられ、芳香部材５０が水洗タンクの前面（開いた便蓋３と対向する面）に設けられ、便蓋３が開くと、芳香部材５０が便蓋３と当接可能な構成であってもよい。
あるいは、芳香部材５０が便蓋３の上面（便座２側と反対側を向く面）に設けられ、便蓋３が開くと、芳香部材５０が水洗タンク等の部材の前面と当接可能な構成であってもよい。
【００６２】
このように構成された便器装置では、人感センサは、トイレ空間に人が入ってきたことを検出する。トイレ空間に人が入ってきたことを人感センサが検出した場合に、開閉部は、便蓋３を開ける。そして、水洗タンクに設けられた芳香部材５０が便蓋３と当接するか、便蓋３に設けられた芳香部材５０が水洗タンクと当接する。これにより、芳香部５１に衝撃を与えられ芳香成分を放出する。よって、トイレ空間に人が入ってきた際、つまり便器装置を使用する直前に、芳香成分が放出されるため、快適性を高めることができる。
【００６３】
また、芳香部材５０が便蓋３の下面４２ｂや便座２における閉塞状態で便器１１と対向する第一対向面（下面）に設けられていると、便蓋３を閉じた状態で便器１１内に芳香成分の香りが充満している。人感センサがトイレ空間に人が入ってきたことを検出し、開閉部が便蓋３を開けると、便蓋３が開く勢いにより便器１１内に充満していた香りがトイレ空間に放出され、トイレ空間に香りを広げることができる。
【００６４】
なお、本発明に係る便器装置は、上述した実施形態に限定されるものではなく、本発明の要旨を逸脱しない範囲で適宜の変更や置換等が可能である。
【００６５】
例えば、上記に示す実施形態では、芳香部材５０は便蓋３に設けられているが、本発明はこれに限られない。芳香部材５０は、便座２における閉塞状態で便器１１と対向する第一対向面（下面）に設けられ、便器１１の上面と当接可能な構成であってもよい。便座２に設けられた緩衝部２１ａの代わりに、上記芳香部材が設けられる構成であってもよい。
【００６６】
また、上記に示す実施形態では、芳香部材５０Ｂ，５０Ｃは、便蓋３のそれぞれ面４１ｂ，３０ｂの略全面を覆うように設けられているが、本発明はこれに限られない。シート状に形成された芳香部材が、便蓋の一部分にのみ設けられていたり、複数箇所に分割して設けられていたりしてもよい。
【００６７】
また、上記に示す実施形態では、芳香消臭部材の一例の芳香部材５０は芳香剤を含有する構成であるが、本発明はこれに限られず、消臭剤を含有した消臭部材であってもよい。
【符号の説明】
【００６８】
２…便座
３…便蓋
１１…便器
１１ａ…開口部
１２…機能部
１３…トップカバー
１４…本体カバー
２１…環状部
２１ａ…緩衝部
３０…便蓋本体
３１…平板部
４０…断熱部
４１…断熱材
４２…断熱材カバー
４２ｂ…面（第二対向面）
５０…芳香部材（芳香消臭部材）
５１…芳香部
６１…支持板部
６２…第一面ファスナー
６３…第二面ファスナー
１００…便器装置
【図１】
2019173430.tif 000003
【図２】
2019173430.tif 000004
【図３】
2019173430.tif 000005
【図４】
2019173430.tif 000006
【図５】
2019173430.tif 000007
【図６】
2019173430.tif 000008
【図７】
2019173430.tif 000009
【図８】
2019173430.tif 000010